(57)【要約】【課題】簡便に組み立て可能で、強度が高く、それを備えた装置を安全に運搬可能な重量装置の底板を提供する。【解決手段】圧縮空気除湿装置等の重量装置の底板１は、１面が解放されていてもよい短冊形の箱体１２・１３を、解放されていてもよい面を下に向けて複数並べ連結し、装置２７・２８を載置できる広さを有し、複数並べた短冊形の箱体１２・１３を貫通する孔１８・２０が複数開けられている。該複数の孔１８・２０は、フォークリフトのフォークを通すための孔２０、および／または吊り下げ用の棒を二点支持できる断面コ字型鋼材１１を通す孔１８である。【選択図】図１
2008265824.tif 000002
【特許請求の範囲】
【請求項１】
１面が解放されていてもよい短冊形の箱体を、解放されていてもよい面を下に向けて複数並べ連結し、装置を載置できる広さを有し、複数並べた短冊形の箱体を貫通する孔が複数開けられていることを特徴とする重量装置の底板。
【請求項２】
前記複数の孔が、フォークリフトのフォークを通すための孔であることを特徴とする請求項１に記載の重量装置の底板。
【請求項３】
前記複数の孔が、吊り下げ用の棒を二点支持できる断面コ字型鋼材を通す孔であることを特徴とする請求項１に記載の重量装置の底板。
【請求項４】
前記複数の孔が、フォークリフトのフォークを通すための孔、および吊り下げ用の棒を二点支持できる断面コ字型鋼材を通す孔、の両方であることを特徴とする請求項１に記載の重量装置の底板。
【請求項５】
重量装置が圧縮空気除湿装置であることを特徴とする請求項１に記載の重量装置の底板。
【発明の詳細な説明】
【技術分野】
【０００１】
本発明は、例えば圧縮空気除湿装置のように運搬中に衝撃を受けることが好ましくない重量装置の底板に関するものである。
【背景技術】
【０００２】
工場などの現場では、エアコンプレッサ等から送出される圧縮空気を清浄化し、また除湿するために圧縮空気除湿装置が用いられている。重量装置である圧縮空気除湿装置は、フレーム組立体によって覆われている。フレーム組立体は、天板、棚板、底板に支柱等のフレームが組み合わされて構成される。底板には、冷媒圧縮機２７や冷媒凝縮機２８等の装置が載置される（図１参照）。
【０００３】
図８に示すように、通常、底板１は、鋼枠４４の上に複数の鋼板４６が溶接により貼り合わされて構成される。また、鋼枠４４の側面には、クレーン等による搬送用に吊り金具４２が溶接により備えられている。
【０００４】
しかし、この底板は、部品点数が多いため、組み立て作業に時間がかかるし、鋼枠４４の大きさが決まっているため、別なサイズの圧縮空気除湿装置には使用できない。
【０００５】
また、この底板を備えた圧縮空気除湿装置は、各吊り金具４２が、山形鋼であって、運搬の際、吊り下げ用の棒に一点で支持されて吊るされるためバランスが悪いし、溶接によって鋼枠４４に固定されるため、強度に限界がある。そのため、圧縮空気除湿装置を、クレーンにより安全に搬送することができない。
【０００６】
【特許文献１】特開２００３−５２４６８号公報
【発明の開示】
【発明が解決しようとする課題】
【０００７】
本発明は前記の課題を解決するためになされたもので、簡便に組み立て可能で、強度が高く、それを備えた装置を安全に運搬可能な重量装置の底板を提供することを目的とする。
【課題を解決するための手段】
【０００８】
前記の目的を達成するためになされた、特許請求の範囲の請求項１に記載された重量装置の底板は、１面が解放されていてもよい短冊形の箱体を、解放されていてもよい面を下に向けて複数並べ連結し、装置を載置できる広さを有し、複数並べた短冊形の箱体を貫通する孔が複数開けられていることを特徴とする。
【０００９】
請求項２に記載された重量装置の底板は、前記複数の孔が、フォークリフトのフォークを通すための孔であることを特徴とする。
【００１０】
請求項３に記載された重量装置の底板は、前記複数の孔が、吊り下げ用の棒を二点支持できる断面コ字型鋼材を通す孔であることを特徴とする。
【００１１】
請求項４に記載された重量装置の底板は、前記複数の孔が、フォークリフトのフォークを通すための孔、および吊り下げ用の棒を二点支持できる断面コ字型鋼材を通す孔、の両方であることを特徴とする。
【００１２】
請求項５に記載された重量装置の底板は、重量装置が圧縮空気除湿装置であることを特徴とする。
【発明の効果】
【００１３】
本発明の重量装置の底板は、それを主に構成する箱体がユニット化されているので、箱体の個数を変更することにより、重量装置の大きさに応じて簡便に組み立てられる。
【００１４】
また、本発明の重量装置の底板は、複数並べた箱体の孔に断面コ字型鋼材が挿通され、溶接されて連結されているため、構造上、強度が高い。また、箱体は内部が中空であるため、軽量で重量増も少ない。
【００１５】
また、本発明の重量装置の底板では、断面コ字型鋼材が、箱体の孔に挿通され、確りと固定されているので、運搬中に外れることがない。また、重量装置の底板は、吊り下げ用の棒を二点支持できる受け入れ孔を断面コ字型鋼材の先端に有しているので、バランス良く吊られる。したがって、この底板を備えた重量装置を、クレーンにより安全に運搬することができる。
【００１６】
また、本発明の重量装置の底板は、フォークリフトのフォークを通すための孔を備えている。したがって、この底板を備えた重量装置を、フォークリフトにより運搬することができる。
【発明を実施するための好ましい形態】
【００１７】
以下、本発明の実施例を詳細に説明するが、本発明の範囲はこれらの実施例に限定されるものではない。
【００１８】
本発明を適用する底板を備えた重量装置である圧縮空気除湿装置の一実施形態の斜視図が図１に示されている。図２は、その底板を構成する箱体の斜視図である。また、図３は、その圧縮空気除湿装置の全体斜視図であり、図４は、その圧縮空気除湿装置の要部斜視図である。
【００１９】
図１に示すように、圧縮空気除湿装置は、フレーム組立体３０の内部に熱交換器１５，冷媒圧縮機２７，冷媒凝縮機２８等の機器が備えられ、外装板１６に覆われて構成されている。フレーム組立体３０は、天板５、棚板３、底板１及び支柱９からなる。
【００２０】
底板１は、交互に並んだ箱体１２及び１３に、２本の断面コ字型鋼材１１が挿着されている。
【００２１】
図２に示すように、箱体１３は、短冊状をしており、対向する側面に貫通する鋼材受け入れ孔１８及びフォークリフト受け入れ孔２０がそれぞれ２箇所ずつ備えられている。また、箱体１３は、底面が開放されている。箱体１２は、箱体１３と幅が異なる以外は、同様な形状を有している（図１参照）。
【００２２】
図４に示すように、断面コ字型鋼材１１の先端には、側面に対のボルト受け入れ孔２４と、底面にアジャスター受け入れ孔２６とが備えられている。
【００２３】
この圧縮空気除湿装置の底板の組立方法を説明する。
【００２４】
図１に示すように、所定数の箱体１２及び１３を並べる。矢印に示すように、２本の断面コ字型鋼材１１を、並べられた箱体１３及び箱体１２の鋼材受け入れ孔１８に挿通する。そして、各鋼材受け入れ孔１８において、箱体１２又は箱体１３と断面コ字型鋼材１１とを溶接する。
【００２５】
この底板を備えた圧縮空気除湿装置の運搬方法を説明する。
【００２６】
図４に示すように、各断面コ字型鋼材１１の先端にある対のボルト受け入れ孔２４にボルト４０を通し、架け渡す。そして、各ボルト４０に、吊り下げ用の棒として、ワイヤロープ３２を取り付ける。
【００２７】
図３に示すように、装置１０の四隅のボルト４０に取り付けられた計４本のワイヤロープ３２を、ワイヤロープ支持板３３に繋ぎ、支持板３３に繋がるワイヤロープ３４をクレーン本体（不図示）に連結する。そして、クレーンを操作することにより、圧縮空気除湿装置１０を所定箇所まで運搬する。このとき、ワイヤロープ３２のボルト４０は、対のボルト受け入れ孔２４により二点支持されているので安定している。また、断面コ字型鋼材１１は、箱体１３の受け入れ孔１８に挿通され、確りと固定されているので、運搬中に外れることがない。したがって、この圧縮空気除湿装置を安全に運搬することができる。
【００２８】
この圧縮空気除湿装置は、アジャスター受け入れ孔２６に基礎ボルトを通すことにより、地面との固定が可能である。また、圧縮空気除湿装置は、アジャスター受け入れ孔２６に、アジャスターの代わりにキャスターを取り付けることも可能である。
【００２９】
図５に、この圧縮空気除湿装置の別な斜視図が示されている。フォークリフト５５は、フォーク１７をフォークリフト受け入れ孔２０に挿入することにより、この圧縮空気除湿装置１０を運搬することができる。
【００３０】
また、図６に、本発明を適用する圧縮空気除湿装置の底板の別な箱体の要部斜視図が示されている。
【００３１】
図６（ａ）及び図６（ｂ）に示すように、鋼材受け入れ孔は、断面コ字型鋼材の挿通が可能な断面コ字型鋼材受け入れ孔５０であってもよい。また、図６（ｃ）及び図６（ｄ）に示すように、鋼材受け入れ孔は、断面Ｌ字型鋼材の挿通が可能な断面Ｌ字型鋼材受け入れ孔５１であってもよい。
【００３２】
図７に、本発明を適用する圧縮空気除湿装置の底板の別な箱体の要部斜視図が示されている。
【００３３】
断面コ字型鋼材１１の断面形状と、断面コ字型鋼材受け入れ孔５０の形状（図６（ａ）参照）とが一致しているので、断面コ字型鋼材１１と箱体１３とは、溶接部１９で全周溶接され、確りと固定されている。
【００３４】
また、図６（ｂ），図６（ｃ）及び図６（ｄ）に示す箱体１３も同様に、断面コ字型鋼材又は断面Ｌ字型鋼材との全周溶接が可能であって、確りと固定される。
【産業上の利用可能性】
【００３５】
本発明を適用する圧縮空気除湿装置の底板は、従来のものと比べて構成部品の数が少なく、組立作業時間を短縮することができるため、それにかかるコストを削減することができる。
【図面の簡単な説明】
【００３６】
【図１】本発明を適用する底板を備えた圧縮空気除湿装置を示す斜視図である。
【図２】本発明を適用する圧縮空気除湿装置の底板の箱体を示す斜視図である。
【図３】本発明を適用する底板を備えた圧縮空気除湿装置の運搬途中を示す全体斜視図である。
【図４】本発明を適用する底板を備えた圧縮空気除湿装置の運搬途中を示す要部斜視図である。
【図５】本発明を適用する底板を備えた圧縮空気除湿装置の運搬途中を示す別な斜視図である。
【図６】本発明を適用する圧縮空気除湿装置の底板の別な箱体を示す要部斜視図である。
【図７】本発明を適用する圧縮空気除湿装置の底板の別な箱体を示す要部斜視図である。
【図８】従来の圧縮空気除湿装置の底板を示す斜視図である。
【符号の説明】
【００３７】
１は底板、３は棚板、５は天板、９は支柱、１０は圧縮空気除湿装置、１１は断面コ字型鋼材、１２は箱体、１３は箱体、１５は熱交換器、１６は外装板、１７はフォーク、１８は鋼材受け入れ孔、１９は溶接部、２０はフォークリフト受け入れ孔、２４はボルト受け入れ孔、２６はアジャスター受け入れ孔、２７は冷媒圧縮機、２８は冷媒凝縮機、３０はフレーム組立体、３２はワイヤロープ、３３はワイヤロープ支持板、３４はワイヤロープ、４０はボルト、４２は吊り金具、４４は鋼枠、４６は鋼板、５０は断面コ字型鋼材受け入れ孔、５１は断面Ｌ字型鋼材受け入れ孔、５５はフォークリフトである。
【図１】
2008265824.tif 000003
【図２】
2008265824.tif 000004
【図３】
2008265824.tif 000005
【図４】
2008265824.tif 000006
【図５】
2008265824.tif 000007
【図６】
2008265824.tif 000008
【図７】
2008265824.tif 000009
【図８】
2008265824.tif 000010